(57)【要約】【課題】  ＲＦＩＤを利用し、自身の存在を確実にアピールすることが可能なＲＦＩＤタグ付き旗およびＲＦＩＤタグ付き旗を利用した抽選システムを提供する。【解決手段】  旗竿１２から離れた端部から所定の距離以内の部分にＵＨＦ帯の特性を有するＲＦＩＤタグが装着されたＲＦＩＤタグ付き旗１０を振ることにより、ヌル点を外してＲＦＩＤリーダー２０との通信を可能とし、記録された識別情報を送信する。振る回数が多くなる程、送信回数が増えるため、ＲＦＩＤリーダー２０では、それを読取回数として識別情報とともに記憶する。管理装置３０では、ＲＦＩＤリーダー２０から、識別情報と読取回数の組み合わせを受信して記憶し、読取回数が多い識別情報ほど当選確率が高くなるように抽選を実行する。【選択図】  図２
2016015044.tif 000002
【特許請求の範囲】
【請求項１】
手で掴むための旗竿に、シート状の旗本体が揺動可能に設けられた旗であって、
前記旗本体には、前記旗竿から離れた端部寄りの位置にＵＨＦ帯の特性を有するＲＦＩＤタグが付されていることを特徴とするＲＦＩＤタグ付き旗。
【請求項２】
前記ＲＦＩＤタグは、９２０ＭＨｚ以上９３０ＭＨｚ未満の周波数特性を有することを特徴とする請求項１に記載のＲＦＩＤタグ付き旗。
【請求項３】
前記ＲＦＩＤタグは、電波方式のＲＦＩＤタグであることを特徴とする請求項１または請求項２に記載のＲＦＩＤタグ付き旗。
【請求項４】
ＲＦＩＤタグを備えたＲＦＩＤタグ付き旗と、前記ＲＦＩＤタグに記録された情報を受信するＲＦＩＤリーダーと、前記ＲＦＩＤリーダーから受信した識別情報を用いて抽選を実行する管理装置と、を有する抽選システムであって、
前記ＲＦＩＤタグ付き旗は、手で掴むための旗竿に、シート状の旗本体が揺動可能に設けられ、前記旗本体には、前記旗竿から離れた端部寄りの位置にＵＨＦ帯の特性を有するＲＦＩＤタグが付されている旗であって、
前記ＲＦＩＤリーダーは、前記ＲＦＩＤタグに記録された識別情報を読み取る識別情報読取手段と、読み取った識別情報を読取回数と対応付けて記憶する読取回数記憶手段と、前記識別情報と読取回数を対応付けて送信する識別情報送信手段と、を備え、
前記管理装置は、前記ＲＦＩＤリーダーから識別情報と読取回数を受信する識別情報受信手段と、受信した識別情報を読取回数と対応付けて記憶する識別情報記憶手段と、前記識別情報記憶手段に記憶された識別情報に対して、読取回数に応じて当選確率が高くなるように抽選を実行する抽選手段と、を備えることを特徴とする抽選システム。
【発明の詳細な説明】
【技術分野】
【０００１】
本発明は、ＲＦＩＤ（Radio  Frequency  IDentification）を利用した旗に関し、特に、特定の周波数帯のＲＦＩＤの特性を利用した技術に関する。
【背景技術】
【０００２】
近年、海外から来日する著名人を、空港等で出迎えるファンが増加している。通常、芸能人等の著名人の名前が表示されたプレート等をかざしてファン自身がその場に居ることをアピールするが、当の著名人が認識したかは不明であり、ファンの一方通行の自己満足に終始している。
【０００３】
一方、製品の入出庫、在庫、販売管理に用いられていた荷札、棚札、バーコードに代わって、近年無線で情報が交信でき、かつ、記録できる情報量も大きなＲＦＩＤタグの使用が増加している。ＲＦＩＤタグは、ＲＦＩＤシステムの媒体として、電波を用いて非接触で情報の交信ができるタグである。ＲＦＩＤタグは、紙やプラスチック等の基材に設けたアンテナパターンとＩＣチップからなり、該アンテナパターンとＩＣチップに内蔵された容量素子とにより共振回路を形成し、該アンテナパターンを通じて無線でリーダライタと交信することができる。
【０００４】
ＲＦＩＤは、比較的近い距離において、非接触で情報の送受信を行うことができることから、単に情報のやりとりだけでなく、様々な用途に活用されている（特許文献１参照）。また、その有用性から新たな用途の開発も模索されている。
【先行技術文献】
【特許文献】
【０００５】
【特許文献１】特開２００２−３４７９３７号公報
【発明の概要】
【発明が解決しようとする課題】
【０００６】
そこで、本発明は、ＲＦＩＤを有効に活用し、自身の存在を確実にアピールすることが可能なＲＦＩＤタグ付き旗およびＲＦＩＤタグ付き旗を利用した抽選システムを提供することを課題とする。
【課題を解決するための手段】
【０００７】
上記課題を解決するため、本発明では、手で掴むための旗竿に、シート状の旗本体が揺動可能に設けられた旗であって、前記旗本体には、前記旗竿から離れた端部寄りの位置にＵＨＦ帯の特性を有するＲＦＩＤタグが付されていることを特徴とするＲＦＩＤタグ付き旗を提供する。
【０００８】
本発明によれば、手で掴むための旗竿に、シート状の旗本体が揺動可能に設けられた旗であって、旗本体には、旗竿から離れた端部寄りの位置にＵＨＦ帯の特性を有するＲＦＩＤタグが付されているので、旗を振ることにより、交信ができない点であるヌル点（Null Point）を抜け出て、ＲＦＩＤタグに記録された識別情報（例えば会員ＩＤ等）を、目的とする相手が存在する位置のＲＦＩＤリーダーに送信することができる。このため、旗を振る回数が多い程、識別情報を送信してＲＦＩＤリーダーで読み取られる回数が多くなるため、ＲＦＩＤで各識別情報の読取回数を確認することにより、どの識別情報に対応する人物がどれだけ応援してくれたかを確認することができる。旗を振る側としては、自身の存在をアピールすることができる。
【０００９】
また、本発明では、前記ＲＦＩＤタグは、９２０ＭＨｚ以上９３０ＭＨｚ未満の周波数特性を有することを特徴とする。本発明によれば、旗本体に付されたＲＦＩＤタグが、９２０ＭＨｚ以上９３０ＭＨｚ未満、いわゆる９２０ＭＨｚ帯の周波数特性を有するようにしたので、ヌル点が確実に発生するようにすることができ、ＲＦＩＤリーダーとの間にある程度の距離が存在する場合でも、旗を振る回数とＲＦＩＤリーダーで識別情報を読み取られる回数に相関をもたせることができる。
【００１０】
また、本発明では、前記ＲＦＩＤタグは、電波方式のＲＦＩＤタグであることを特徴とする。本発明によれば、旗本体に付されたＲＦＩＤタグが、電磁誘導方式ではなく電波方式のＲＦＩＤタグであるようにしたので、ＵＨＦ帯の電波による通信距離を大きくすることができ、離れた場所に対しても識別情報を送信することが可能となる。
【００１１】
また、本発明では、ＲＦＩＤタグを備えたＲＦＩＤタグ付き旗と、前記ＲＦＩＤタグに記録された情報を受信するＲＦＩＤリーダーと、前記ＲＦＩＤリーダーから受信した識別情報を用いて抽選を実行する管理装置と、を有する抽選システムであって、前記ＲＦＩＤタグ付き旗は、手で掴むための旗竿に、シート状の旗本体が揺動可能に設けられ、前記旗本体には、前記旗竿から離れた端部寄りの位置にＵＨＦ帯の特性を有するＲＦＩＤタグが付されている旗であって、前記ＲＦＩＤリーダーは、前記ＲＦＩＤタグに記録された識別情報を読み取る識別情報読取手段と、読み取った識別情報を読取回数と対応付けて記憶する読取回数記憶手段と、前記識別情報と読取回数を対応付けて送信する識別情報送信手段と、を備え、前記管理装置は、前記ＲＦＩＤリーダーから識別情報と読取回数を受信する識別情報受信手段と、受信した識別情報を読取回数と対応付けて記憶する識別情報記憶手段と、前記識別情報記憶手段に記憶された識別情報に対して、読取回数に応じて当選確率が高くなるように抽選を実行する抽選手段と、を備えることを特徴とする抽選システムを提供する。
【００１２】
本発明によれば、ＲＦＩＤタグ付き旗と、ＲＦＩＤリーダーと、管理装置を有する抽選システムであって、ＲＦＩＤタグ付き旗は、手で掴むための旗竿に、シート状の旗本体が揺動可能に設けられ、旗本体には、旗竿から離れた端部寄りの位置にＵＨＦ帯の特性を有するＲＦＩＤタグが付されている旗であって、ＲＦＩＤリーダーは、ＲＦＩＤタグに記録された識別情報を読み取る識別情報読取手段と、読み取った識別情報を読取回数と対応付けて記憶する読取回数記憶手段と、識別情報と読取回数を対応付けて送信する識別情報送信手段と、を備え、管理装置は、ＲＦＩＤリーダーから識別情報と読取回数を受信する識別情報受信手段と、受信した識別情報を読取回数と対応付けて記憶する識別情報記憶手段と、識別情報記憶手段に記憶された識別情報に対して、読取回数に応じて当選確率が高くなるように抽選を実行する抽選手段と、を備えるようにしたので、旗を振る回数が多かった人物に対応する識別情報に対して、当選する確率が高くなり、旗の利用者のインセンティブを高めることが可能となる。
【発明の効果】
【００１３】
本発明によれば、ＲＦＩＤを有効に活用し、自身の存在を確実にアピールすることが可能となるという効果を奏する。
【図面の簡単な説明】
【００１４】
【図１】本発明の一実施形態に係るＲＦＩＤタグ付き旗の外観図である。
【図２】本発明の一実施形態に係る抽選システムの構成図である。
【図３】ＲＦＩＤリーダー２０の詳細を示す図である。
【図４】管理装置３０の詳細を示す図である。
【図５】識別情報記憶手段Ｄ２の記録情報の一例を示す図である。
【図６】ＲＦＩＤタグ付き旗の利用時の様子を示す図である。
【発明を実施するための形態】
【００１５】
＜１．ＲＦＩＤタグ付き旗の構成＞
以下、本発明の好適な実施形態について図面を参照して詳細に説明する。図１は、本発明の一実施形態に係るＲＦＩＤタグ付き旗の外観図である。図１において、１１は旗本体、１２は旗竿（軸棒）、１３はＲＦＩＤタグである。本来、ＲＦＩＤタグ付き旗１０には表裏の区別はないが、本実施形態では、図柄が付された側を表面、ＲＦＩＤタグ１３が付された側を裏面として説明していく。したがって、図１（ａ）は、ＲＦＩＤタグ付き旗１０の表面を示す図であり、図１（ｂ）はＲＦＩＤタグ付き旗１０の裏面を示す図である。
【００１６】
旗本体１１および旗竿１２は、従来公知の旗と同様の構成となっている。旗本体１１は、布、紙等の薄いシート状物である。旗竿１２は、手で掴んでＲＦＩＤタグ付き旗１０全体を支持するための軸棒となるものであり、天然の木材、合成樹脂、金属等を用いることができる。旗本体１１と旗竿１２の接続についても、従来公知の様々な手法を用いることができる。
【００１７】
ＲＦＩＤタグ１３は、無線で情報がやりとできるＲＦＩＤタグである。ＲＦＩＤタグとは、内蔵アンテナを介して非接触で外部と通信し、ＩＣチップに記録された情報を送信するものであり、電子タグ、無線タグ、ＩＣタグなどとも呼ばれるものである。ＲＦＩＤタグ１３としては、ＵＨＦ（Ultra High Frequency：極超短波）帯のＲＦＩＤタグを用いる。ＵＨＦ帯のＲＦＩＤタグとしては、公知の様々なものを用いることができるが、９００ＭＨｚ帯（９００ＭＨｚ〜１０００ＭＨｚ）のものを用いることが好ましい。本実施形態では、９２０ＭＨｚ帯（９００ＭＨｚ〜９３０ＭＨｚ）のものを採用している。ＵＨＦ帯のＲＦＩＤタグは、中波帯、短波帯、マイクロ波帯等の他の周波数帯に比べて、比較的長距離の交信が可能であるが、マルチパス（多重波伝送路、遅延波）等の影響を受け、確実な交信が保証されない。すなわち、方向によっては、交信ができないヌル点（Null Point）が存在することになる。後述するように、本発明では、ＵＨＦ帯のＲＦＩＤタグにおけるこの性質を利用する。
【００１８】
ＲＦＩＤタグ１３としては、電池を内蔵しないパッシブタグ、電池を内蔵したアクティブタグのどちらを採用してもよいが、本実施形態では、電池を内蔵しないパッシブタグを採用している。電池を内蔵しないため、電源を入れたり切ったりすることを旗の所有者に意識させる必要がないという利点がある。ＲＦＩＤタグ付き旗１０は、大量に使用されることが想定されるため、コストの低いパッシブタグを採用することが好ましい。また、ＲＦＩＤタグ１３としては、電磁誘導方式、電波方式のどちらを採用してもよいが、電波方式を採用している。特に、ＲＦＩＤタグ１３として電力の弱いパッシブタグを採用した場合、通信距離を長くするため、電波方式を採用することが好ましい。
【００１９】
ＲＦＩＤタグ１３の旗本体１１への装着位置は、理論的には、旗竿１２から離れるほど好ましい。旗竿１２を少し揺れ動かしただけで、ＲＦＩＤタグ１３が大きく動くためである。図１においては、ＩＣタグ１３を矩形状の網掛けで示している。図１（ａ）に破線で示した矩形は、裏面に装着されたＩＣタグ１３の対応位置を示している。図１（ｂ）に示すように、ＲＦＩＤタグ１３（図１の例では、上下方向に長い矩形状）の旗竿１２側の端部から、旗本体１１の旗竿１２と逆側の端部（図１（ｂ）において左端）、旗本体１１の旗竿１２側の端部（図１（ｂ）において右端）までの距離をそれぞれＡ、Ｂとすると、Ａ：Ｂは１：５〜１：１０の間とすることが好ましい。１：５よりもＢの比率が小さくなると、旗を振ったときのＲＦＩＤタグ１３の動きが十分でなく、１：１０よりもＢの比率が大きくなると、旗竿１２と逆側の端部側に重さが掛かり過ぎるためである。
【００２０】
ＲＦＩＤタグ１３の旗本体１１への装着についても、公知の様々な手法を用いることができる。本実施形態では、ＲＦＩＤタグ１３の一方の面に粘着剤が塗布された粘着剤層を形成し、この粘着剤層を用いて旗本体１１の裏面に貼付することによりＲＦＩＤタグ１３を装着している。
【００２１】
旗本体１１には、どのような装飾が施されていてもよいが、本実施形態では、歌手の名前が「○○様」と大きく描かれ、その下方にハートマークがデザインされており、最下部には、ファンクラブ名が記されている。
【００２２】
＜２．抽選システムの構成＞
次に、抽選システムの構成について説明する。図２は、本発明の一実施形態に係る抽選システムの構成図である。図２において、１０はＲＦＩＤタグ付き旗、２０はＲＦＩＤリーダー（ＲＦＩＤ読み取り機）、３０は管理装置、１００は抽選システムである。ＲＦＩＤタグ付き旗１０は、上述のような構成となっており、ＲＦＩＤリーダー２０と非接触通信を行い、自身のＲＦＩＤタグ１３が記憶している識別情報（例えば会員ＩＤ）をＲＦＩＤリーダー２０に送信する。
【００２３】
ＲＦＩＤリーダー２０は、小型軽量で持ち運び容易な端末であり、ＲＦＩＤタグ付き旗１０が備えたＲＦＩＤタグ１３と非接触通信を行い、ＲＦＩＤタグ１３から識別情報を受信する。ＲＦＩＤリーダー２０としては、ＣＰＵ、ＲＡＭ、記憶手段、ＲＦＩＤ通信手段、近距離無線通信手段、電源等を備えた公知のＲＦＩＤリーダーを用いることができる。
【００２４】
管理装置３０は、ＲＦＩＤリーダー２０から識別情報を収集し、抽選を実行するコンピュータであり、汎用のコンピュータに専用のプログラムを組み込むことにより実現される。
【００２５】
図３（ａ）は、ＲＦＩＤリーダー２０のハードウェア構成図である。ＲＦＩＤリーダー２０は、公知の可搬型（ハンディタイプ）のＲＦＩＤリーダーにより実現される。図３（ａ）に示すように、ＣＰＵ（Central Processing Unit）２０ａと、メインメモリであるＲＡＭ（Random Access Memory）２０ｂと、ＣＰＵ２０ａが実行するプログラムやデータを記憶するための不揮発性の記憶装置２０ｃ（例えば、フラッシュメモリ等）と、キーボード、タッチパネル等の指示入力部２０ｄと、外部装置（データ記憶媒体等）に対してデータの入出力を行うためのデータ入出力Ｉ／Ｆ（インタフェース）２０ｅと、表示部（液晶ディスプレイ等）２０ｆと、Ｂｌｕｅｔｏｏｔｈ（登録商標）等の近距離無線通信により他のコンピュータ等との通信を行うための近距離無線通信部２０ｇと、ＲＦＩＤタグとの間で通信を行うＲＦＩＤ通信部２０ｈを備え、互いにバスを介して接続されている。また、ＲＦＩＤリーダー２０は、図示しない電源を備えている。「近距離無線通信」という場合には、ＲＦＩＤによる通信が含まれる場合もあるが、近距離無線通信部２０ｇが行う近距離無線通信は、ＲＦＩＤによる通信以外のものを用いる。
【００２６】
図３（ｂ）は、ＲＦＩＤリーダー２０の機能ブロック図である。図３（ａ）に示したハードウェア構成において、ＣＰＵ２０ａが記憶装置２０ｃに記憶されたプログラムをＲＡＭ２０ｂに読み込んで実行することにより、ＲＦＩＤリーダー２０は、図３（ｂ）に示した各手段を機能させることが可能となる。図３（ｂ）に示すように、ＲＦＩＤリーダー２０は、読取回数記憶手段Ｄ１、識別情報読取手段２１、識別情報送信手段２２を有する。
【００２７】
識別情報読取手段２１は、ＲＦＩＤタグ付き旗１０に付されたＲＦＩＤタグ１３に記録されている識別情報を読み取る手段であり、ＣＰＵ２０ａがＲＦＩＤ通信部２０ｈを起動し、ＲＦＩＤタグ１３から識別情報である会員ＩＤを読み取らせることにより実現される。識別情報送信手段２２は、識別情報読取手段２１がＲＦＩＤタグ１３から取得した識別情報を管理装置３０に送信する手段であり、近距離無線通信部２０ｇがＣＰＵ２０ａから受けた送信命令を実行することにより実現される。
【００２８】
読取回数記憶手段Ｄ１は、識別情報である会員ＩＤと対応付けて読取回数を記憶した記憶手段である。読取回数記憶手段Ｄ１は、記憶装置２０ｃ内に所定の記憶領域を確保することにより実現される。
【００２９】
図４（ａ）は、管理装置３０のハードウェア構成図である。管理装置３０は、汎用のコンピュータで実現することができ、図４（ａ）に示すように、ＣＰＵ（Central Processing Unit）３０ａと、コンピュータのメインメモリであるＲＡＭ（Random Access Memory）３０ｂと、ＣＰＵが実行するプログラムやデータを記憶するための大容量の記憶装置３０ｃ（例えば、ハードディスク、フラッシュメモリ等）と、キーボード、マウス等の指示入力部３０ｄと、外部装置（データ記憶媒体等）に対してデータの入出力を行うためのデータ入出力Ｉ／Ｆ（インタフェース）３０ｅと、表示部（液晶ディスプレイ等）３０ｆと、Ｂｌｕｅｔｏｏｔｈ（登録商標）等の近距離無線通信によりＲＦＩＤリーダー２０等の機器との通信を行うための近距離無線通信部３０ｇを備え、互いにバスを介して接続されている。
【００３０】
図４（ｂ）は、管理装置３０の機能ブロック図である。図４（ａ）に示したハードウェア構成において、ＣＰＵ３０ａが記憶装置３０ｃに記憶されたプログラムをＲＡＭ３０ｂに読み込んで実行することにより、管理装置３０は、図４（ｂ）に示した各手段を機能させることが可能となる。図４（ｂ）に示すように、管理装置３０は、識別情報記憶手段Ｄ２、識別情報受信手段３１、識別情報登録手段３２、抽選実行手段３３を有する。
【００３１】
識別情報記憶手段Ｄ２は、識別情報である会員ＩＤに対応付けて会員情報を記憶した記憶手段であり、ＲＦＩＤリーダー２０から受信した識別情報と読取回数を対応付けて読取回数を記憶する。識別情報記憶手段Ｄ２は、記憶装置３０ｃの所定の記憶領域にデータを記憶し、それぞれ対応するデータベースソフトウェアであるプログラムをＣＰＵ３０ａが実行することにより実現される。
【００３２】
図５は、識別情報記憶手段Ｄ２に記録された会員情報の一例を示す図である。図５に示すように、識別情報記憶手段Ｄ２には、各会員を特定する識別情報である会員ＩＤ、氏名、住所、読取回数、その他の情報が会員情報として記憶されている。読取回数とは、その会員の識別情報（会員ＩＤ）で特定される会員の識別情報をＲＦＩＤリーダー２０が読み取った回数を示している。会員情報としては、図６に示した項目以外にも、会員に関する様々な情報を記憶しておくことが可能である。
【００３３】
識別情報受信手段３１は、ＲＦＩＤリーダー２０から識別情報と読取回数を受信する手段であり、ＣＰＵ３０ａが近距離無線通信部３０ｇを作動させることにより実現される。識別情報登録手段３２は、識別情報受信手段３１が受信した識別情報と受信回数の組み合わせを用いて、受信した識別情報で識別情報記憶手段Ｄ２を参照し、登録されている識別情報に対応付けて読取回数を登録する手段であり、ＣＰＵ３０ａが専用のプログラムを実行することにより実現される。抽選実行手段３３は、識別情報記憶手段Ｄ２に記憶された識別情報ごとに当選であるか落選であるかを決定する手段であり、ＣＰＵ３０ａが専用のプログラムを実行することにより実現される。
【００３４】
＜３．処理動作＞
次に、本実施形態に係る抽選システムの処理動作について説明する。ここでは、ある歌手が空港を通過する際、その歌手のファンクラブの会員がＲＦＩＤタグ付き旗１０を利用する場合について説明する。図６は、ＲＦＩＤタグ付き旗の利用時の様子を示す図である。図６に示すように、歌手Ｓの付近に、ＲＦＩＤタグ付き旗１０を持った多数の会員Ｆが存在する状況となる。
【００３５】
ファンクラブの各会員を特定する識別情報である会員ＩＤは、事前に管理装置３０の識別情報記憶手段Ｄ２に登録されている。また、ファンクラブでは、会員ごとに異なる識別情報である会員ＩＤを各ＲＦＩＤ１３に記憶したＲＦＩＤタグ付き旗１０を、会員宛てに発送する。そして、ファンクラブの会員宛てにその歌手の空港到着予定時刻を伝え、ＲＦＩＤタグ付き旗１０を持参し、目立つように応援するよう要請する。
【００３６】
そして、当日の空港到着予定時刻には、ファンクラブの各会員がＲＦＩＤタグ付き旗１０を持参して歌手を待つ。一方、歌手は、可搬型のＲＦＩＤリーダー２０をスーツの内ポケットに入れる等して身に着け、登場する。ＲＦＩＤタグ付き旗１０が備えるＲＦＩＤ１３はＵＨＦ型であるので、電波に指向性があり、通信ができないヌル点が存在する。したがって、会員Ｆと歌手Ｓが近付き、ＲＦＩＤ１３とＲＦＩＤリーダー２０の距離が通信可能距離内になったとしても、ＲＦＩＤ１３の位置と角度によっては、通信ができず、ＲＦＩＤリーダー２０が会員ＩＤを読み取ることができない。すなわち、会員がＲＦＩＤタグ付き旗１０を、ただ持っているだけでは、ＲＦＩＤ１３からＲＦＩＤリーダー２０に会員ＩＤを送信することができない。
【００３７】
ところが、会員Ｆは、歌手Ｓに振り向いてもらいたくて、応援のため、図１に示したように歌手Ｓの名前や図柄等が印刷されたＲＦＩＤタグ付き旗１０を振ることになる。このようにＲＦＩＤタグ付き旗１０を振ることにより、ＲＦＩＤ１３の位置や角度が激しく動き、ヌル点を外れる度にＲＦＩＤリーダー２０と通信を行って会員ＩＤを送信することができる。すなわち、ＲＦＩＤタグ付き旗１０を振らせることにより、ＲＦＩＤタグ１３がヌル点に長時間滞在することを防止する。
【００３８】
ＲＦＩＤタグ付き旗１０に装着されたＲＦＩＤタグ１３が会員ＩＤを送信することを会員Ｆに知らせておかなくても、会員Ｆは、歌手Ｓを応援するために旗を振って応援するので、応援の程度に応じて会員ＩＤが送信されることになる。ただし、事前に旗に装着されたＲＦＩＤタグ１３が会員ＩＤを記録しており、振れば振る程、会員ＩＤが多く読み取られる可能性が高いことを会員Ｆに知らせておくとともに、会員ＩＤの読取回数が多い程、特典を与える旨知らせておいてもよい。この場合、会員Ｆは特典目当てにさらに力を入れて応援するようになる。結果として、歌手等の対象者を、旗を大きく振って歓迎する光景を生み出すことが可能となる。
【００３９】
ＲＦＩＤリーダー２０の電源が入っている間、常にＲＦＩＤリーダー２０は、ＲＦＩＤタグ１３との通信を行う。当然、空港には、多数の会員ＦがいてそれぞれにＲＦＩＤタグ付き旗１０を振っているため、多くのＲＦＩＤタグ１３との通信が行われることになる。この際、ＲＦＩＤリーダー２０とＲＦＩＤタグ１３の間では、アンチコリジョン処理が行われ、先に通信を開始したＲＦＩＤタグ１３との通信終了を待って、次のＲＦＩＤタグ１３との通信を行うことになる。このようにして、ＲＦＩＤリーダー２０は会員ＩＤを読み取る（受信する）と、その会員ＩＤが記憶されていなかった場合には、その会員ＩＤと対応付けて読取回数として“１”を、読取回数記憶手段Ｄ１に記憶する。既にその会員ＩＤが読取回数記憶手段Ｄ１に記憶されていた場合には、その会員ＩＤの読取回数に“１”を加算する。このようにして、会員ＩＤごとに現場で読み取られた回数が読取回数記憶手段Ｄ１に記憶される。
【００４０】
読取回数記憶手段Ｄ１に会員ＩＤが記憶されたＲＦＩＤリーダー２０は、歌手からスタッフに渡され、さらに管理装置３０付近に持参された後、ＲＦＩＤリーダー２０と管理装置３０の間で近距離無線通信を行う。具体的には、ＲＦＩＤリーダー２０に対して、指示入力部２０ｄを利用して会員ＩＤ読取回数の送信指示が行われると、識別情報送信手段２２が、ＲＦＩＤリーダー２０に対して会員ＩＤの送信を行う。すなわち、ＣＰＵ２０ａの命令により近距離無線通信部２０ｇを介して記憶装置２０ｃに記憶された会員ＩＤと読取回数が対応付けて送信されることになる。
【００４１】
管理装置３０では、ＲＦＩＤリーダー２０から送信された会員ＩＤと読取回数を識別情報受信手段３１が受信する。具体的には、管理装置３０の近距離無線通信部３０ｇが、ＲＦＩＤリーダー２０の近距離無線通信部２０ｇとの通信により会員ＩＤと読取回数を取得する。そして、識別情報登録手段３２が受信した会員ＩＤと読取回数の組み合わせを識別情報記憶手段に登録する。このようにして、ＲＦＩＤリーダー２０の読取回数記憶手段Ｄ１に記憶されていた会員ＩＤと受信回数の組は、全て管理装置３０の識別情報記憶手段Ｄ２に記憶されることになる。
【００４２】
識別情報記憶手段Ｄ２に会員ＩＤと読取回数が対応付けて蓄積された後、所定のタイミングで抽選実行手段３３が抽選を実行する。抽選を実行するタイミングとしては、１回のイベントごとであってもよいし、複数回のイベントにより読取回数がさらに蓄積された後であってもよい。抽選実行手段３３が識別情報記憶手段Ｄ２に記憶された会員ＩＤのいずれを当選とするかについての具体的な抽選手法としては、様々な手法を用いることができる。例えば、識別情報記憶手段Ｄ２に記憶された会員ＩＤの数が、それぞれ均等に発生される乱数を用いる等して、発生された乱数の値と、会員ＩＤに割り当てられた値が一致した場合に当選とすることができる。
【００４３】
抽選手法は、様々なものを利用できるが、どのような抽選手法を用いた場合であっても、抽選実行手段３３は、識別情報記憶手段Ｄ２に記憶された読取回数に応じて当選確率を高める処理を行う。この場合、読取回数に比例して当選確率を高めるような設定にしておいてもよいし、読取回数の増加に応じて段階的に当選確率を高めるような設定にしておいてもよい。例えば、読み取り回数の増加に応じて段階的に多くの抽選ナンバーを割り当てるようにすれば、読み取り回数の多い会員ＩＤほど多くの抽選ナンバーが割り当てられることになり、当選確率が上がるようになる。このようにして、当選が決定した会員ＩＤの会員に対しては、後日ファンクラブから特典が贈られる。特典が贈られた会員は、旗を熱心に振ったことが当選に繋がったことを知り、次回以降、より熱心に旗を振って応援するようになる。
【００４４】
以上、本発明の好適な実施形態について説明したが、本発明は、上記実施形態に限定されず、種々の変形が可能である。例えば、上記実施形態では、ファンクラブの会員が歌手の送迎において、ＲＦＩＤタグ付き旗を利用するようにしたが、事前に識別情報を登録することができ、旗を振ることのインセンティブを必要とする様々な行事やイベントであれば、様々なものに利用することが可能である。
【００４５】
また、上記実施形態では、ＲＦＩＤリーダー２０と管理装置３０の間の通信を近距離無線通信により行うようにしたが、インターネット等のネットワークを介して行うようにしてもよい。また、ＵＳＢメモリ等の記憶媒体を介して、またはケーブルによりＲＦＩＤリーダー２０と管理装置３０を接続して有線により、会員ＩＤと読取回数の送信を行うようにしてもよい。
【符号の説明】
【００４６】
１０・・・ＲＦＩＤタグ付き旗
１１・・・旗本体
１２・・・旗竿（軸棒）
１３・・・ＲＦＩＤタグ
２０・・・ＲＦＩＤリーダー
２０ａ、３０ａ・・・ＣＰＵ
２０ｂ、３０ｂ・・・ＲＡＭ
２０ｃ、３０ｃ・・・記憶装置
２０ｄ、３０ｄ・・・指示入力部
２０ｅ、３０ｅ・・・データ入出力Ｉ／Ｆ
２０ｆ、３０ｆ・・・表示部
２０ｇ、３０ｇ・・・近距離無線通信部
２０ｈ・・・ＲＦＩＤ通信部
２１・・・識別情報読取手段
２２・・・識別情報送信手段
３０・・・管理装置
３１・・・識別情報受信手段
３２・・・識別情報登録手段
３３・・・抽選実行手段
Ｄ１・・・読取回数記憶手段
Ｄ２・・・識別情報記憶手段
１００・・・抽選システム
【図１】
2016015044.tif 000003
【図２】
2016015044.tif 000004
【図３】
2016015044.tif 000005
【図４】
2016015044.tif 000006
【図５】
2016015044.tif 000007
【図６】
2016015044.tif 000008